(57)【要約】【課題】３次元空間に配置されたオブジェクトのステータス情報の時間的な変化をわかりやすく閲覧させること。【解決手段】予め設定された第１オブジェクトの配置位置情報に基づいて、前記第１オブジェクトを所定高さに設定された２次元座標面に配置する自動配置部と、ユーザの操作に基づいて、前記第１オブジェクトの時間的に変化する状態を表すステータス情報、および前記第１オブジェクトの表示形態を設定する手動設定部と、を備え、前記第１オブジェクトの表示形態を設定する処理は、前記ステータス情報の変化に基づいて、前記２次元座標面と交わる方向に延びる前記第１オブジェクトの高さを変化させるように設定する、情報処理装置である。【選択図】図１
2019096230.tif 000002
【特許請求の範囲】
【請求項１】
予め設定された第１オブジェクトの配置位置情報に基づいて、前記第１オブジェクトを所定高さに設定された２次元座標面に配置する自動配置部と、
ユーザの操作に基づいて、前記第１オブジェクトの時間的に変化する状態を表すステータス情報、および前記第１オブジェクトの表示形態を設定する手動設定部と、を備え、
前記第１オブジェクトの表示形態を設定する処理は、前記ステータス情報の変化に基づいて、前記２次元座標面と交わる方向に延びる前記第１オブジェクトの高さを変化させるように設定する、情報処理装置。
【請求項２】
前記手動設定部は、ユーザの操作に基づいて、前記２次元座標面に第２オブジェクトを配置し、前記第２オブジェクトの時間的に変化する状態を表すステータス情報、および前記第２オブジェクトの表示形態を設定する、
請求項１に記載の情報処理装置。
【請求項３】
前記手動設定部は、ユーザの操作に基づいて、前記第２オブジェクトとして、画像データ、前記第１オブジェクトが延びる高さ方向と直交する２次元座標面であって前記所定高さとは異なる高さに設定される階層面、または３次元ポリゴンを設定する、
請求項２に記載の情報処理装置。
【請求項４】
前記手動設定部は、ユーザの操作に基づいて、前記第２オブジェクトとして前記画像データまたは３次元ポリゴンを設定した場合において、前記第２オブジェクトのステータス情報が閾値を超えた場合に、前記第２オブジェクトの表示形態を変化させることでアラートを通知することを設定する、
請求項３に記載の情報処理装置。
【請求項５】
前記手動設定部は、ユーザの操作に基づいて、前記第２オブジェクトとして前記画像データまたは３次元ポリゴンを設定した場合において、前記第２オブジェクトのステータス情報が閾値に近づくほど前記第２オブジェクトの形を次第に変化させ、前記第２オブジェクトのステータス情報が閾値を超えた場合に、前記第２オブジェクトを強調して表示させることでアラートを通知することを設定する、
請求項３に記載の情報処理装置。
【請求項６】
前記手動設定部は、ユーザの操作に基づいて、前記第２オブジェクトとして前記画像データを設定した場合において、当該画像データの表示を実行する期間を設定する、
請求項３に記載の情報処理装置。
【請求項７】
予め設定された第１オブジェクトの配置位置情報に基づいて、前記第１オブジェクトを所定高さに設定された２次元座標面に配置するステップと、
ユーザの操作に基づいて、前記第１オブジェクトの時間的に変化する状態を表すステータス情報、および前記第１オブジェクトの表示形態を設定するステップと、を有し、
前記第１オブジェクトの表示形態を設定する処理は、前記ステータス情報の変化に基づいて、前記２次元座標面と交わる方向に延びる前記第１オブジェクトの高さを変化させるように設定する、情報処理方法。
【請求項８】
情報処理装置のコンピュータに、
予め設定された第１オブジェクトの配置位置情報に基づいて、前記第１オブジェクトを所定高さに設定された２次元座標面に配置するステップと、
ユーザの操作に基づいて、前記第１オブジェクトの時間的に変化する状態を表すステータス情報、および前記第１オブジェクトの表示形態を設定するステップと、を有し、
前記第１オブジェクトの表示形態を設定する処理は、前記ステータス情報の変化に基づいて、前記２次元座標面と交わる方向に延びる前記第１オブジェクトの高さを変化させるように設定する、
処理を実行させる、プログラム。
【発明の詳細な説明】
【技術分野】
【０００１】
本発明は、情報処理装置、情報処理方法、およびプログラムに関する。
【背景技術】
【０００２】
従来、各種の状況を把握するために、各種の状況に関する情報を表示させる技術が提案されている。例えば、特許文献１には、多数の監視対象から得られた観測値を３次元表示する。観測対象を観測して得られる観測値を表示する観測データ表示装置が記載されている。観測データ表示装置は、観測対象を特定するための観測対象識別情報と当該観測対象を観測して得られる観測値との組を取得し、観測対象の観測値を表示するための基準位置を、観測対象識別情報に基づいて二次元平面内に配置し、観測値に応じた高さを観測値ごとに算出し、観測値が、基準位置において、算出された高さによって表現された画像を、表示装置に表示させる。これにより、多数の監視対象から得た観測値を３次元表示することができるとしている。
【先行技術文献】
【特許文献】
【０００３】
【特許文献１】再公表ＷＯ２００６／０７７６６６号公報
【発明の概要】
【発明が解決しようとする課題】
【０００４】
ところで、室内および室外の双方を含む３次元空間に配置したオブジェクトの時間的な変化を更にわかりやすく表示するためのシステムおよびサービスが望まれている。また、オブジェクトにおける状況の時間的な変化を表示するシステムおよびサービスにおいては、ユーザが自由にオブジェクト、または当該オブジェクトのパラメータを設定して、設定したオブジェクトのパラメータの時間的な変化を監視したいというニーズがある。
【０００５】
本発明は、上記の課題に鑑みてなされたものであって、３次元空間に配置されたオブジェクトのステータス情報の時間的な変化をわかりやすく閲覧させることができる情報処理装置、情報処理方法、およびプログラムを提供することを目的としている。
【課題を解決するための手段】
【０００６】
（１）本発明の一態様は、予め設定された第１オブジェクトの配置位置情報に基づいて、前記第１オブジェクトを所定高さに設定された２次元座標面に配置する自動配置部と、
ユーザの操作に基づいて、前記第１オブジェクトの時間的に変化する状態を表すステータス情報、および前記第１オブジェクトの表示形態を設定する手動設定部と、を備え、
前記第１オブジェクトの表示形態を設定する処理は、前記ステータス情報の変化に基づいて、前記２次元座標面と交わる方向に延びる前記第１オブジェクトの高さを変化させるように設定する、情報処理装置である。
【０００７】
（２）本発明の一態様は、上記の情報処理装置であって、前記手動設定部は、ユーザの操作に基づいて、前記２次元座標面に第２オブジェクトを配置し、前記第２オブジェクトの時間的に変化する状態を表すステータス情報、および前記第２オブジェクトの表示形態を設定する。
【０００８】
（３）本発明の一態様は、上記の情報処理装置であって、前記手動設定部は、ユーザの操作に基づいて、前記第２オブジェクトとして、画像データ、前記第１オブジェクトが延びる高さ方向と直交する２次元座標面であって前記所定高さとは異なる高さに設定される階層面、または３次元ポリゴンを設定する。
【０００９】
（４）本発明の一態様は、上記の情報処理装置であって、前記手動設定部は、ユーザの操作に基づいて、前記第２オブジェクトとして前記画像データまたは３次元ポリゴンを設定した場合において、前記第２オブジェクトのステータス情報が閾値を超えた場合に、前記第２オブジェクトの表示形態を変化させることでアラートを通知することを設定する。
【００１０】
（５）本発明の一態様は、上記の情報処理装置であって、前記手動設定部は、ユーザの操作に基づいて、前記第２オブジェクトとして前記画像データまたは３次元ポリゴンを設定した場合において、前記第２オブジェクトのステータス情報が閾値に近づくほど前記第２オブジェクトの形を次第に変化させ、前記第２オブジェクトのステータス情報が閾値を超えた場合に、前記第２オブジェクトを強調して表示させることでアラートを通知することを設定する。
【００１１】
（６）本発明の一態様は、上記の情報処理装置であって、前記手動設定部は、ユーザの操作に基づいて、前記第２オブジェクトとして前記画像データを設定した場合において、当該画像データの表示を実行する期間を設定する。
【００１２】
（７）本発明の一態様は、予め設定された第１オブジェクトの配置位置情報に基づいて、前記第１オブジェクトを所定高さに設定された２次元座標面に配置するステップと、ユーザの操作に基づいて、前記第１オブジェクトの時間的に変化する状態を表すステータス情報、および前記第１オブジェクトの表示形態を設定するステップと、を有し、前記第１オブジェクトの表示形態を設定する処理は、前記ステータス情報の変化に基づいて、前記２次元座標面と交わる方向に延びる前記第１オブジェクトの高さを変化させるように設定する、情報処理方法である。
【００１３】
（８）本発明の一態様は、情報処理装置のコンピュータに、予め設定された第１オブジェクトの配置位置情報に基づいて、前記第１オブジェクトを所定高さに設定された２次元座標面に配置するステップと、ユーザの操作に基づいて、前記第１オブジェクトの時間的に変化する状態を表すステータス情報、および前記第１オブジェクトの表示形態を設定するステップと、を有し、前記第１オブジェクトの表示形態を設定する処理は、前記ステータス情報の変化に基づいて、前記２次元座標面と交わる方向に延びる前記第１オブジェクトの高さを変化させるように設定する、処理を実行させる、プログラムである。
【発明の効果】
【００１４】
本発明の一態様によれば、３次元空間に配置されたオブジェクトのステータス情報の時間的な変化をわかりやすく閲覧させることができる情報処理装置、情報処理方法、およびプログラムを提供することができる。
【図面の簡単な説明】
【００１５】
【図１】実施形態における処理手順の一例を示すフローチャートである。
【図２】情報処理システムの一構成例を示すブロック図である。
【図３】アプリケーションサーバ装置の一構成例を示すブロック図である。
【図４】自動設定オブジェクトに関する設定情報の一例を示す図である。
【図５】ビルオブジェクトの一例を示す図である。
【図６】装置オブジェクトＯ（ｄ）、リンクオブジェクトＯ（ｌ）、リングオブジェクトＯ（ｒ）、インナーサブネットワークオブジェクトＯ（ｉ）、アウターサブネットワークオブジェクトＯ（ｏ）、フロアオブジェクトＯ（ｆ）を表す図である。
【図７】手動設定オブジェクトに関する設定情報の一例を示す図である。
【図８】コンテンツをクライアント端末装置に表示させた画面の一例を示す図である。
【図９】コンテンツをクライアント端末装置に表示させた画面の他の一例を示す図である。
【図１０】オブジェクトのステータスの変化を説明するための図である。
【図１１】アプリケーションサーバ装置が検出した情報に基づいてステータス情報が変化する様子を示す図である。
【図１２】アプリケーションサーバ装置が検出した情報に基づいてステータス情報が変化する様子を示す他の図である。
【図１３】コンテンツをクライアント端末装置に表示させた画面の他の一例を示す図である。
【図１４】コンテンツをクライアント端末装置１００に表示させた画面の他の一例を示す図である。
【図１５】フロアオブジェクトＯ（ｆ２）の表示をオフした場合のコンテンツの一例を示す図である。
【発明を実施するための形態】
【００１６】
以下、本発明を適用した情報処理装置、情報処理方法、およびプログラムを、図面を参照して説明する。
【００１７】
（実施形態の概要）
実施形態の情報処理システムは、対象となるオブジェクトの配置位置、オブジェクトのステータス情報、およびオブジェクトの表示形態を自動および手動で設定し、設定した情報に基づいてオブジェクトを表示する情報提供サービスを提供する。自動設定とは、オブジェクトの所属する先と、オブジェクトの高さを設定して、設定した所属先および高さにおいて円形等の所定の形状のオブジェクトを設定することをいう。例えば、自動設定は、ビルの中の第１階層（所属先）に画像オブジェクトを１０個配置し、第２階層に画像オブジェクトを５個配置する。この自動設定の表示結果は、ビル内の第１階層に画像オブジェクトが１０個円形で配置され、第２階層に画像オブジェクトが５個円形に配置されるものになる。一方、手動設定とは、オブジェクトが配置される緯度・経度・高度、または空間内の位置（ＸＹＺ座標系における（ｘ，ｙ，ｚ））を手動で指定して、指定された場所にオブジェクトを配置することである。これにより、情報処理システムは、例えば、地図上に配置された複数の装置の状況、装置間のつながりなどを監視するサービスや、ビル内における人物の動きを監視するサービスなどを提供することができる。
【００１８】
以下、情報処理システムが提供することができるサービスを、情報提供サービスと称する。情報提供サービスを提供するため、情報処理システムは、大きく分けて２つの処理を実行する。一つ目の処理は、設定処理である。設定処理は、オブジェクトに関する各種の設定を行う処理である。２つ目の処理は、情報提供処理である。情報提供処理は、設定処理により設定されたオブジェクトに関する各種の設定に基づいて大量のデータを収集して、オブジェクトに関する各種の状態を表示させるための情報（コンテンツ）を提供する処理である。以下、２つの処理を中心に説明する。
【００１９】
（実施形態の全体処理）
図１は、実施形態における処理手順の一例を示すフローチャートである。情報処理システムは、設定処理として、ステップＳ１００からステップＳ１０６の処理を実行する。次に、情報処理システムは、情報提示処理として、ステップＳ１１０からステップＳ１２２の処理を実行する。
【００２０】
以下、設定処理について説明する。
まず、情報処理システムは、自動設定オブジェクトの読み込み処理を実行する（ステップＳ１００）。自動設定オブジェクトは、第１オブジェクトの一例である。自動設定オブジェクトとは、情報処理システムが設定および提示するコンテンツ内に存在する仮想的な物体であって、予め形状や位置が設定されたオブジェクトである。自動設定オブジェクトには、当該当該自動設定オブジェクトの種類、自動設定オブジェクトの形状、自動設定オブジェクトが配置される位置情報等が設定されている。自動設定オブジェクトは、所定高さに設定された２次元座標面に配置される。２次元座標面は、例えば、地面や建物内のフロアである。自動設定オブジェクトが配置される位置情報は、例えば、緯度および経度で設定されている。
【００２１】
次に、情報処理システムは、自動設定オブジェクトのパラメータの設定処理を実行する（ステップＳ１０２）。自動設定オブジェクトのパラメータは、予め設定されたパラメータであってユーザの操作に基づいて設定できないパラメータと、ユーザの操作に基づいて設定可能なパラメータとを含む。情報処理システムは、ユーザの操作に基づいて、ユーザの操作に基づいて設定可能な自動設定オブジェクトのパラメータを設定する。
【００２２】
自動設定オブジェクトのパラメータは、例えば、自動設定オブジェクトの時間的に変化する状態を表すステータス情報、および自動オブジェクトの表示形態である。ステータス情報は、自動設定オブジェクトに関連する量または値である。具体的に、ステータス情報は、ビル内に配置された装置の稼働状況である（例えば、図６を参照）。
【００２３】
次に、情報処理システムは、手動設定オブジェクトの配置の設定処理を実行する（ステップＳ１０４）。手動設定オブジェクトとは、情報処理システムが設定および提示するコンテンツ内に存在する仮想的な物体であって、ユーザの操作に基づいて形状や位置が設定可能なオブジェクトである。情報処理システムは、ユーザの操作に基づいて、手動設定オブジェクトの位置を設定する。手動設定オブジェクトは、所定高さに設定された２次元座標面に配置される。情報処理システムは、手動設定オブジェクトの位置情報として、例えば、手動設定オブジェクトの緯度および経度を設定する。
【００２４】
次に、情報処理システムは、手動設定オブジェクトのパラメータの設定処理を実行する（ステップＳ１０６）。手動設定オブジェクトのパラメータは、ユーザの操作に基づいて設定可能なパラメータである。情報処理システムは、ユーザの操作に基づいて、ユーザの操作に基づいて設定可能な手動設定オブジェクトのパラメータを設定する。
【００２５】
手動設定オブジェクトのパラメータは、例えば、手動設定オブジェクトの時間的に変化する状態を表すステータス情報、および手動オブジェクトの表示形態である。ステータス情報は、手動設定オブジェクトに関連する量または値である。具体的に、ステータス情報は、ビルのフロアにおける所定の領域に対する人の滞在時間である（例えば、図１３を参照）。手動オブジェクトの表示形態は、例えば、手動設定オブジェクトの色や大きさなどである。
【００２６】
情報処理システムは、例えば、ユーザの操作に基づいてコンテンツを表示する処理を実行するための命令を取得した場合に、情報提示処理を開始する（ステップＳ１１０：ＹＥＳ）。情報処理システムは、命令を取得していない場合（ステップＳ１１０：ＮＯ）、待機する。
【００２７】
情報処理システムは、まず、自動設定オブジェクトをユーザの端末装置に表示させる（ステップＳ１１２）。次に、情報処理システムは、手動設定オブジェクトをユーザの端末装置に表示させる（ステップＳ１１４）。なお、情報処理システムは、手動設定オブジェクトが設定されていない場合、本処理を実行せず、ステップＳ１１６に処理を進める。
【００２８】
次に情報処理システムは、自動設定オブジェクトおよび手動設定オブジェクトに設定されたパラメータに関連する検出情報を取得する（ステップＳ１１６）。情報処理システムは、例えば、ビル内に配置された装置の稼働状況を表す情報を、自動設定オブジェクトについての検出情報として取得する。情報処理システムは、例えば、ビルのフロアにおける所定の領域に対する人の滞在時間を表す情報を、手動設定オブジェクトについての検出情報として取得する。
【００２９】
次に情報処理システムは、取得した検出情報に基づいて、自動設定オブジェクトおよび手動設定オブジェクトの表示形態を制御する（ステップＳ１１８）。情報処理システムは、時間を経過させながらコンテンツを表示させることが設定されている場合、時間変化に合わせて、検出情報に基づいて自動設定オブジェクトおよび手動設定オブジェクトの表示形態を制御する。情報処理システムは、時間を経過させながらコンテンツを表示させることが設定されていない場合、現在停止している時刻の検出情報に基づいて自動設定オブジェクトおよび手動設定オブジェクトの表示形態を制御する。
【００３０】
次に情報処理システムは、ユーザの操作に基づいて、時間軸における時刻の指示を受け付けたか否かを判定する（ステップＳ１２０）。情報処理システムは、時刻の指示を受け付けた場合（ステップＳ１２０：ＹＥＳ）、受け付けた時刻において表示するべき自動設定オブジェクトおよび手動設定オブジェクト、当該自動設定オブジェクトおよび手動設定オブジェクトのパラメータに基づいて、ステップＳ１１２〜ステップＳ１１８の処理を実行する。情報処理システムは、時間指示を受け付けていない場合（ステップＳ１２０：ＮＯ）、ステップＳ１２２に処理を進める。
【００３１】
情報処理システムは、自動設定オブジェクトおよび手動設定オブジェクトに対する表示をオン（表示）またはオフ（非表示）する指示を受け付けたか否かを判定する（ステップＳ１２２）。情報処理システムは、自動設定オブジェクトおよび手動設定オブジェクトに対する表示をオンにする指示を受け付けた場合（ステップＳ１２２：ＹＥＳ）、当該自動設定オブジェクトおよび手動設定オブジェクトを表示させる。情報処理システムは、自動設定オブジェクトおよび手動設定オブジェクトに対する表示をオフにする指示を受け付けた場合（ステップＳ１２２：ＹＥＳ）、当該自動設定オブジェクトおよび手動設定オブジェクトを表示させない。また、情報処理システムは、手動設定オブジェクトの位置を変更する指示を受け付けた場合も、当該手動設定オブジェクトの表示位置を変更させる。情報処理システムは、自動設定オブジェクトおよび手動設定オブジェクトに対する表示の指示を受け付けない場合（ステップＳ１２２：ＮＯ）、ステップＳ１１０以降の処理を繰り返す。
【００３２】
（情報処理システムの構成）
以下、上述した処理を実行する情報処理システムの構成について説明する。図２は、情報処理システムの一構成例を示すブロック図である。情報処理システム１は、例えば、クライアント端末装置１００と、アプリケーションサーバ装置２００と、データベースサーバ装置３００とを備える。クライアント端末装置１００は、端末装置の一例である。アプリケーションサーバ装置２００は、情報処理装置および情報提示装置の一例である。情報処理システム１は、例えば、クライアント端末装置１００と、アプリケーションサーバ装置２００と、データベースサーバ装置３００とが、ネットワークＮＷに接続可能である。ネットワークＮＷに接続される各装置は、ＮＩＣ（Ｎｅｔｗｏｒｋ  Ｉｎｔｅｒｆａｃｅ  Ｃａｒｄ）や無線通信モジュールなどの通信インターフェースを備えている。ネットワークＮＷは、例えば、無線基地局、Ｗｉ−Ｆｉアクセスポイント、通信回線、プロバイダ、インターネットなどを含んでもよい。なお、アプリケーションサーバ装置２００とデータベースサーバ装置３００との一部または全部は、統合されて一つの装置とされてもよい。
【００３３】
クライアント端末装置１００は、ユーザ（一般利用者）によって使用される装置である。アプリケーションサーバ装置２００は、情報提供サービスの管理者によって使用される装置である。情報提供サービスの管理者は、例えば、情報提供サービスを運営する組織の管理担当者である。クライアント端末装置１００は、例えば、スマートフォンなどの携帯電話、タブレット端末、パーソナルコンピュータなどのコンピュータ装置（通信装置）である。
【００３４】
クライアント端末装置１００は、ウェブブラウザなどのＵＡ（Ｕｓｅｒ  Ａｇｅｎｔ）が起動し、所定の操作がなされることで、アプリケーションサーバ装置２００にＨＴＴＰ（Ｈｙｐｅｒｔｅｘｔ  Ｔｒａｎｓｆｅｒ  Ｐｒｏｔｏｃｏｌ）リクエストを送信する。そして、クライアント端末装置１００は、アプリケーションサーバ装置２００から返信されたウェブページに基づいてウェブ画面を生成し、表示部に表示させる。ウェブページは、例えば、ＨＴＭＬ（Ｈｙｐｅｒ Ｔｅｘｔ Ｍａｒｋｕｐ Ｌａｎｇｕａｇｅ）等のマークアップ言語で記述されたテキストデータや、スタイルシート、静止画像データ、動画データ、音声データなどを含むコンテンツである。なお、コンテンツを取得するための手段として、ウェブブラウザに代えて、コンテンツ提供サービス用のアプリケーションプログラムが使用されてもよい。
【００３５】
アプリケーションサーバ装置２００は、情報提供サービスを提供するサーバ装置である。アプリケーションサーバ装置２００は、クライアント端末装置１００からコンテンツの設定要求を受け付けた場合、設定処理を行う。アプリケーションサーバ装置２００は、クライアント端末装置１００からコンテンツの要求を受け付けた場合、情報提示処理を行う。なお、アプリケーションサーバ装置２００は、情報提供サービスの管理担当者の操作に基づいて自動設定オブジェクトに予め設定するパラメータを設定するものとするが、これに限定されず、アプリケーションサーバ装置２００に予めインストールされてもよい。
【００３６】
図３は、アプリケーションサーバ装置２００の一構成例を示すブロック図である。アプリケーションサーバ装置２００は、例えば、オブジェクト設定部２１０と、コンテンツ提供部２２０とを備える。オブジェクト設定部２１０およびコンテンツ提供部２２０は、例えば１つ、または複数のＣＰＵ等のプロセッサがプログラムメモリに格納されたプログラムを実行することにより実現される。また、これらの機能部のうち一部または全部は、ＬＳＩ（Ｌａｒｇｅ  Ｓｃａｌｅ  Ｉｎｔｅｇｒａｔｉｏｎ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、またはＦＰＧＡ（Ｆｉｅｌｄ  Ｐｒｏｇｒａｍｍａｂｌｅ  Ｇａｔｅ  Ａｒｒａｙ）等のハードウェアにより実現されてもよいし、ソフトウェアとハードウェアが協働することで実現されてもよい。
【００３７】
オブジェクト設定部２１０は、自動設定オブジェクト設定部２１２と、手動設定オブジェクト設定部２１４と、を備える。
【００３８】
自動設定オブジェクト設定部２１２は、ステップＳ１００のように、自動設定オブジェクトの読み込み処理を実行することで、予め設定されている自動設定オブジェクト情報、および配置位置情報を取得する。さらに、自動設定オブジェクト設定部２１２は、ユーザの操作に基づいてステータス情報および表示形態を表す情報を取得し、ステップＳ１０２のように、自動設定オブジェクトのパラメータの設定処理を実行する。
【００３９】
手動設定オブジェクト設定部２１４は、ユーザの操作に基づいて手動設定オブジェクト情報、および配置位置情報を取得し、ステップＳ１０４のように、手動設定オブジェクトの配置の設定処理を実行する。手動設定オブジェクト設定部２１４は、ユーザの操作に基づいてステータス情報および表示形態を表す情報を取得し、ステップＳ１０６のように、手動設定オブジェクトのパラメータの設定処理を実行する。
【００４０】
コンテンツ提供部２２０は、ステータス更新部２２２と、表示制御部２２４とを備える。
【００４１】
ステータス更新部２２２は、自動設定オブジェクト設定部２１２および手動設定オブジェクト設定部２１４において設定されたステータス情報を取得する。ステータス更新部２２２は、例えば、ビル内の装置の稼働状況を監視している監視サーバから、自動設定オブジェクトに対応する装置の稼働状況を表す情報を取得する。ステータス更新部２２２は、例えば、ビルのフロアにおける人感センサにより取得した情報を管理しているサーバ装置から、ビルのフロアにおける所定の領域に対する人の滞在時間を表す情報を取得する。ステータス更新部２２２は、取得したステータス情報をデータベースサーバ装置３００に記憶させることで、データベースサーバ装置３００にステータス情報を蓄積する。
【００４２】
表示制御部２２４は、ステータス更新部２２２により取得したステータス情報に基づいて、自動設定オブジェクトおよび手動設定オブジェクトの表示形態を変化させる。表示制御部２２４は、例えば、ある自動設定オブジェクトに対応する装置の稼働状況が、所定の状態に至った場合、当該自動設定オブジェクトの表示形態を変化させることでアラートを表示させる。
【００４３】
データベースサーバ装置３００は、ＨＤＤ（Ｈａｒｄ  Ｄｉｓｋ  Ｄｒｉｖｅ）、フラッシュメモリ、ＥＥＰＲＯＭ（Ｅｌｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＲＯＭ（Ｒｅａｄ  Ｏｎｌｙ  Ｍｅｍｏｒｙ）、またはＲＡＭ（Ｒａｎｄｏｍ  Ａｃｃｅｓｓ  Ｍｅｍｏｒｙ）、或いはこれらを複数用いたハイブリッド型記憶装置により実現される。データベースサーバ装置３００は、各種ネットワークを介してアクセス可能な外部記憶装置によって実現されてもよい。外部記憶装置の一例として、ＮＡＳ（Ｎｅｔｗｏｒｋ  Ａｔｔａｃｈｅｄ  Ｓｔｏｒａｇｅ）装置が挙げられる。データベースサーバ装置３００には、オブジェクト設定部２１０により設定された自動設定オブジェクトに関する設定情報、手動設定オブジェクトに関する設定情報、ステータス情報などが記憶される。
【００４４】
（自動設定オブジェクトに関する設定情報）
図４は、自動設定オブジェクトに関する設定情報の一例を示す図である。自動設定オブジェクト設定部２１２は、自動設定オブジェクトに関する設定情報を生成し、データベースサーバ装置３００に記憶させる。自動設定オブジェクトに関する設定情報は、オブジェクトＩＤに、オブジェクトの種類、位置、ステータスの有無、ステータスの種類、およびアラームの有無を対応付けた情報である。
【００４５】
オブジェクトＩＤは、自動設定オブジェクトを一意に特定するための情報である。オブジェクトの種別は、例えば、ビル、アイコン画像、リンク、リング、インナーサブネットワーク、アウターサブネットワークのいずれかを表す情報である。ステータスの有無は、自動設定オブジェクトにステータス情報が設定されているか否かを表す。ステータスの種類は、自動設定オブジェクトに設定されたステータス情報により変化する表示形態、および／または表示のオン／オフの切替が有効か否かを表す。また、表示のオン／オフは、手動設定オブジェクトとして画像データを設定した場合において、当該画像データの表示を実行する期間を設定してよい。アラームの有無は、自動設定オブジェクトに設定されたステータスが所定の状態に至った場合に、アラームを通知するか否かを表す。
【００４６】
（オブジェクトの形態）
ビルオブジェクトは、手動で配置が設定されるオブジェクトであって、直方体のオブジェクトである。図５は、ビルオブジェクトの一例を示す図である。ビルオブジェクトＯ（ｂ）は、高さＨおよび幅Ｗが設定可能なオブジェクトである。アイコン画像は、自動で配置が設定されるビルや装置などのオブジェクトである。リンクオブジェクトは、２つのオブジェクト間を結ぶ線のオブジェクトである。リンクオブジェクトは、ユーザの操作に基づいて両端に接続されたオブジェクトの位置が変更した場合であっても、両端のオブジェクトに接続するオブジェクトである。リングオブジェクトは、複数のオブジェクトを囲むように結ぶ線の集合体のオブジェクトであって、複数のオブジェクトを直線で結ぶことで多角形を生成するオブジェクトである。リングオブジェクトは、ユーザの操作に基づいて両端に接続されたオブジェクトの位置が変更した場合であっても、両端のオブジェクトに接続するオブジェクトである。インナーサブネットワークオブジェクトは、ビル内に存在するオブジェクト群を総称するためのオブジェクトである。アウターサブネットワークは、複数のビル内に存在するオブジェクト群を総称するためのオブジェクトである。図６は、装置オブジェクトＯ（ｄ）、リンクオブジェクトＯ（ｌ）、リングオブジェクトＯ（ｒ）、インナーサブネットワークオブジェクトＯ（ｉ）、アウターサブネットワークオブジェクトＯ（ｏ）、フロアオブジェクトＯ（ｆ）を表す図である。
【００４７】
（手動設定オブジェクトに関する設定情報）
図７は、手動設定オブジェクトに関する設定情報の一例を示す図である。手動設定オブジェクト設定部２１４は、手動設定オブジェクトに関する設定情報を生成し、データベースサーバ装置３００に記憶させる。手動設定オブジェクトに関する設定情報は、オブジェクトＩＤに、オブジェクトの種類、位置、ステータスの有無、ステータスの種類、およびアラームの有無を対応付けた情報である。
【００４８】
オブジェクトＩＤは、手動設定オブジェクトを一意に特定するための情報である。オブジェクトの種別は、例えば、ビル、アイコン画像、地図データ、フロア、３Ｄポリゴンのいずれかを表す情報である。地図データオブジェクトは、地図を表すオブジェクトであって、高さが０に設定されたオブジェクトである。フロアオブジェクトは、高さ方向に対して垂直な２次元の画像データを表示するためのオブジェクトである。フロアオブジェクトは、異なる高さに複数枚の画像データを設定することができる。
【００４９】
また、自動設定オブジェクトおよび手動設定オブジェクトにおけるビルオブジェクトおよびアイコン画像は、詳細情報として、ステータス情報の変化に基づいて、地図データオブジェクトまたはフロアオブジェクトと交わる方向に延びる、高さを変化させるように設定することができる。
【００５０】
（コンテンツの具体例１）
図８は、コンテンツをクライアント端末装置１００に表示させた画面の一例を示す図である。クライアント端末装置１００は、アプリケーションサーバ装置２００から送信された情報に基づいて、自動設定オブジェクトを含むコンテンツ１０００を表示する。コンテンツ１０００には、装置の状態を監視するための監視用コンテンツ１１００と、時間軸画像１２００と、操作用画像１１１０とが含まれている。監視用コンテンツ１１００には、地図オブジェクトＯ（ｍ）と、ビルオブジェクトＯ（ｂ１）〜Ｏ（ｂ５）と、装置オブジェクトＯ（ｄ１）〜Ｏ（ｄ５）と、リンクオブジェクトＯ（ｌ１）〜Ｏ（ｌ５）とが含まれている。時間軸画像１２００には、表示位置により時刻を指定するためのスライダ１２１０が含まれている。操作用画像１１１０は、監視用コンテンツ１１００に含まれるオブジェクトを選択するための画像である。操作用画像１１１０には、監視用コンテンツ１１００において表示可能なオブジェクトの種類情報１１１２と、オブジェクトの種類に対応したチェックボックス１１１４とが含まれている。
【００５１】
クライアント端末装置１００は、スライダ１２１０の位置を指定する操作を受け付けた場合、表示する監視用コンテンツ１１００を、当該指定された位置に対応する時刻における監視用コンテンツ１１００に更新する。
【００５２】
クライアント端末装置１００は、オブジェクトの種類に対応したチェックボックス１１１４が選択された場合、当該オブジェクトの種類に対応するオブジェクトの表示をオンまたはオフとの間で切り替える。なお、図９は、監視用コンテンツ１１００に含まれるオブジェクトがビルオブジェクト、装置オブジェクト、およびリンクオブジェクトであり、全てのチェックボックス１１１４がチェックされている状態を示している。クライアント端末装置１００は、例えば、ビルオブジェクトに対応するチェックボックス１１１４が選択された場合、ビルオブジェクトの表示をオフするように監視用コンテンツ１１００を更新する。
【００５３】
図９は、コンテンツをクライアント端末装置１００に表示させた画面の他の一例を示す図である。クライアント端末装置１００は、任意の時刻を指定するようにスライダ１２１０＃が操作されたことを受け付けた場合、当該時刻におけるオブジェクトのパラメータに基づいて、監視用コンテンツ１１００を更新する。クライアント端末装置１００は、例えば、装置オブジェクトＯ（ｄ１）＃および装置オブジェクトＯ（ｄ２）＃の故障ステータスとして、アラートを表示させる。また、クライアント端末装置１００は、例えば、装置オブジェクトＯ（ｄ１）＃および装置オブジェクトＯ（ｄ２）＃との間の通信が途絶しているリンクオブジェクトＯ（ｒ１）＃のステータスとして、アラートを表示させる。
【００５４】
（コンテンツのアラート表示例）
図１０は、オブジェクトのステータスの変化を説明するための図である。図１０に示したオブジェクトは、例えば、ビルオブジェクト内に配置される装置オブジェクトの一例である。装置オブジェクトのステータス情報が通常であって異常がない場合、情報処理システム１は、例えば、装置オブジェクトＯ（Ｓ＝１）の色を、通常の色（例えば、白色）で表示させる。情報処理システム１は、装置オブジェクトのステータス情報が異常である場合、例えば、装置オブジェクトＯ（Ｓ＝２）に、文字画像（例えば「！」）を重畳させて表示させる。情報処理システム１は、装置オブジェクトのステータス情報が異常であって稼働が停止した場合、例えば、装置オブジェクトＯ（Ｓ＝３）の色を、アラートを提示するための色（赤）で表示させる。なお、情報処理システム１は、装置オブジェクトのステータス情報が異常であって稼働が停止した場合に代えて、異常状態のレベルが閾値を超えたことに基づいてアラートを提示してよい。
【００５５】
図１１は、アプリケーションサーバ装置２００が検出した情報に基づいてステータス情報が変化する様子を示す図である。情報処理システム１は、装置オブジェクトＯについてのステータス情報が通常（Ｓ＝１）である場合、装置オブジェクトＯを白色で表示させ、ステータス情報が異常に変化した場合、装置オブジェクトＯに文字画像を重畳させて表示させ、さらに、ステータス情報が稼働停止に変化した場合、装置オブジェクトＯの色を赤色で表示させ、ステータス情報が通常に戻った場合、装置オブジェクトＯを白色に戻す。
【００５６】
図１２は、アプリケーションサーバ装置２００が検出した情報に基づいてステータス情報が変化する様子を示す他の図である。情報処理システム１は、装置オブジェクトＯに対応する装置の異常状態のレベルに基づいて、装置オブジェクトＯ（Ｓ＝２）の高さを変化させる。情報処理システム１は、例えば、異常状態のレベルが３段階ある場合において、異常状態のレベルが１段階目である場合、装置オブジェクトＯ（Ｓ＝２）の高さを最も低くし、異常状態のレベルが高くなるほど、装置オブジェクトＯ（Ｓ＝２）を次第に高くする。
【００５７】
以上のように、情報処理システム１は、自動設定オブジェクトまたは手動設定オブジェクトにステータス情報および表示形態を設定することで、図１０および図１１に示すように、監視用コンテンツ１１００における各種のオブジェクトの各種のステータス情報を監視させることができる。
【００５８】
（コンテンツの具体例２）
図１３は、コンテンツをクライアント端末装置１００に表示させた画面の他の一例を示す図である。情報処理システム１は、地図オブジェクトＯ（ｍ）に、各地域に２層のアイコン画像オブジェクトＯ（１）〜Ｏ（５）を配置したコンテンツ１３００をクライアント端末装置１００に表示させる。また、コンテンツ１３００には、操作用画像１３１０が含まれている。時間軸画像１２００には、表示位置により時刻を指定するためのスライダ１２１０が含まれている。操作用画像１３１０は、コンテンツ１３００に含まれるオブジェクトを選択するための画像である。操作用画像１３１０には、コンテンツ１３００において表示可能なオブジェクトの種類情報１３１２と、オブジェクトの種類に対応したチェックボックス１３１４とが含まれている。
【００５９】
アイコン画像オブジェクトは、自動設定オブジェクトであってもよく、手動設定オブジェクトであってもよい。情報処理システム１は、アイコン画像オブジェクトのそれぞれに、ステータス情報および表示形態を設定する。情報処理システム１は、アイコン画像オブジェクトの下層が第１のステータス情報に基づいて高さｈ１を変化させるように設定する。情報処理システム１は、例えば、アイコン画像オブジェクトの上層が第２のステータス情報に基づいて高さｈ２を変化させるように設定する。アイコン画像オブジェクトの上層の高さｈ２は、ｈ１からｈ２までの距離である。例えば、第１のステータス情報は、２０歳以上の人口であり、第２のステータス情報は、２０歳未満の人口である。これにより、情報処理システム１は、２０歳以上の人口と２０歳未満の人口の分布を監視用コンテンツ１１００により監視することができる。また、情報処理システム１は、スライダ１２１０の位置が指定されることにより、例えば、１９００年から２０１０年に亘って、２０歳以上の人口と２０歳未満の人口の分布の変化を閲覧させることができる。
【００６０】
以上のように、情報処理システム１は、自動設定オブジェクトまたは手動設定オブジェクトにステータス情報および表示形態を設定することで、図１３に示すように、ステータス情報が変化するほど、高さ方向に表示形態を変化するコンテンツ１０００を提供することができる。
【００６１】
（コンテンツの具体例３）
図１４は、コンテンツをクライアント端末装置１００に表示させた画面の他の一例を示す図である。情報処理システム１は、フロアオブジェクトＯ（ｆ１）〜Ｏ（ｆ３）と、領域オブジェクトＯ（ａ１）〜Ｏ（ａ５）と、滞在状況オブジェクトＯ（ｐ１）〜Ｏ（ｐ５）と、装置オブジェクトＯ（ｄ１）〜Ｏ（ｄ５）と、リンクオブジェクトＯ（ｒ１）〜Ｏ（ｒ６）とを含む。
【００６２】
情報処理システム１は、設定処理として、以下の処理を行う。情報処理システム１は、ユーザの操作に基づいて、フロアオブジェクトＯ（ｆ１）に属するオブジェクトとして、領域オブジェクトＯ（ａ１）、滞在状況オブジェクトＯ（ｐ１）、装置オブジェクトＯ（ｄ１）、および装置オブジェクトＯ（ｄ２）を設定する。同様に、情報処理システム１は、ユーザの操作に基づいて、フロアオブジェクトＯ（ｆ２）に属するオブジェクトとして、領域オブジェクトＯ（ａ２）、滞在状況オブジェクトＯ（ｐ２）、領域オブジェクトＯ（ａ３）、滞在状況オブジェクトＯ（ｐ３）、装置オブジェクトＯ（ｄ３）を設定する。同様に、情報処理システム１は、ユーザの操作に基づいて、フロアオブジェクトＯ（ｆ３）に属するオブジェクトとして、領域オブジェクトＯ（ａ４）、滞在状況オブジェクトＯ（ｐ４）、領域オブジェクトＯ（ａ５）、滞在状況オブジェクトＯ（ｐ５）、装置オブジェクトＯ（ｄ４）、装置オブジェクトＯ（ｄ５）を設定する。
【００６３】
さらに、情報処理システム１は、ユーザの操作に基づいて、各フロアオブジェクトの高さおよび面積、各フロアオブジェクトに属する各オブジェクトの水平方向の位置を設定する。さらに、情報処理システム１は、ユーザの操作に基づいて、各オブジェクトの位置を設定する。なお、情報処理システム１は、滞在状況オブジェクトＯ（ｐ１）〜Ｏ（ｐ５）の高さ寸法を０に設定し、上面および底面の面積を所定の面積に設定する。
【００６４】
アプリケーションサーバ装置２００は、ビルに設置された人感センサが取得した情報に基づいて、ビルの利用者の動き情報を取得する。アプリケーションサーバ装置２００は、領域オブジェクトＯ（ａ１）に対応する領域に滞在する利用者が多いほど滞在状況オブジェクトＯ（ｐ１）の高さｈ１を高く設定する。アプリケーションサーバ装置２００は、領域オブジェクトＯ（ａ１）に対応する領域に利用者が長く滞在するほど滞在状況オブジェクトＯ（ｐ１）の幅ｗ１を大きく設定する。これにより、アプリケーションサーバ装置２００は、滞在状況オブジェクトＯ（ｐ１）の高さｈ１および幅ｗ１の設定を反映させたコンテンツ１４００を、クライアント端末装置１００に提供することができる。
【００６５】
アプリケーションサーバ装置２００は、ビルに設置された人感センサが取得した情報に基づいて、領域オブジェクトＯ（ｐ１）に対応する領域から、領域オブジェクトＯ（ｐ２）に対応する領域に移動した利用者が多いほど、リンクオブジェクトＯ（ｒ１）の本数を多くするよう設定する。これにより、アプリケーションサーバ装置２００は、リンクオブジェクトＯ（ｒ１）の設定を反映させたコンテンツ１４００を、クライアント端末装置１００に提供することができる。
【００６６】
なお、リンクオブジェクトは、オブジェクト同士を接続する階層接続オブジェクトの一例である。階層接続オブジェクトは、例えば、フロアオブジェクトＯ（ｆ１）に関連付けられたオブジェクトと、フロアオブジェクトＯ（ｆ２）に関連付けられたオブジェクトと、の関連を表す関連情報に基づいて、表示が制御される。
【００６７】
コンテンツ１４００には、操作用画像１４１０が含まれる。操作用画像１４１０は、コンテンツ１３００に含まれるオブジェクトを選択するための画像である。操作用画像１４１０には、コンテンツ１４００において表示可能なオブジェクトの種類情報１４１２と、オブジェクトの種類に対応したチェックボックス１４１４とが含まれている。オブジェクトの種類情報１４１２は、ビル１Ｆ、ビル２Ｆ、およびビル３Ｆが含まれ、チェックボックス１４１４には、ビル１Ｆ、ビル２Ｆ、およびビル３Ｆに対応して３つのチェックボックスが含まれる。なお、図示していないが、ユーザの操作に基づいて、各フロアオブジェクトに属するオブジェクト単位で表示のオンまたはオフを切り替えることもできる。
【００６８】
アプリケーションサーバ装置２００は、ユーザの操作に基づいて、同じフロアオブジェクトに関連付けられた複数のオブジェクトを含むグループ単位で表示を制御する。すなわち、アプリケーションサーバ装置２００は、例えば、ビル２Ｆに対応するチェックボックス１４１４のチェックが外された場合、フロアオブジェクトＯ（ｆ２）、およびフロアオブジェクトＯ（ｆ２）に属するオブジェクトの表示をコンテンツ１４００から消すように、コンテンツ１４００を更新する。
【００６９】
図１５は、フロアオブジェクトＯ（ｆ２）の表示をオフした場合のコンテンツの一例を示す図である。図１４に示したように、コンテンツ１４００には、フロアオブジェクトＯ（ｆ１）〜Ｏ（ｆ３）を含み、さらに、リンクオブジェクトＯ（ｒ１）〜Ｏ（ｒ６）を含む。アプリケーションサーバ装置２００は、コンテンツ１４００を表示させている場合において、ユーザの操作に基づいて、フロアオブジェクトＯ（ｆ２）の表示を消去させる場合に、フロアオブジェクトＯ（ｆ２）、フロアオブジェクトＯ（ｆ２）に属する滞在状況オブジェクトオブジェクトＯ（ｐ２）等、リンクオブジェクトＯ（ｒ１）〜Ｏ（ｒ６）を消去し、滞在状況オブジェクトＯ（ｐ１）と滞在状況オブジェクトＯ（ｐ４）とを接続するリンクオブジェクトＯ（ｒ１１）と、滞在状況オブジェクトＯ（ｐ１）と滞在状況オブジェクトＯ（ｐ５）とを接続するリンクオブジェクトＯ（ｒ１２）と、を表示させる。
【００７０】
（実施形態の効果）
以上説明したように、情報処理システム１は、予め設定された自動設定オブジェクトの配置位置情報に基づいて、自動設定オブジェクトを所定高さに設定された２次元座標面に配置し、ユーザの操作に基づいて、自動設定オブジェクトの時間的に変化する状態を表すステータス情報、および自動設定オブジェクトの表示形態を設定する。さらに、自動設定オブジェクトの表示形態を設定する処理は、ステータス情報の変化に基づいて、２次元座標面と交わる方向に延びる自動設定オブジェクトの高さを変化させるように設定する。これにより、情報処理システム１によれば、３次元空間に配置された自動設定オブジェクトのステータス情報の時間的な変化をわかりやすく閲覧させることができる。
【００７１】
また、情報処理システム１によれば、ユーザの操作に基づいて、手動設定オブジェクトを配置し、手動設定オブジェクトの時間的に変化する状態を表すステータス情報、および手動設定オブジェクトの表示形態を設定する。これにより、情報処理システム１によれば、自動設定オブジェクトのみならず、手動設定オブジェクトを含むコンテンツを提供することができる。
【００７２】
情報処理システム１によれば、フロアオブジェクト以外のオブジェクト単位で表示形態を変化させると共に、同じフロアオブジェクトに関連付けられた複数のオブジェクトを含むグループ単位で表示を制御することができる。これにより、情報処理システム１によれば、ビル内のフロア単位で、オブジェクトの状態をわかりやすく閲覧させることができる。
【００７３】
また、情報処理システム１によれば、あるフロアオブジェクトに関連付けられたオブジェクトと、他のフロアオブジェクトに関連付けられたオブジェクトと、の関連を表す関連情報を取得し、関連情報に基づいて、あるフロアオブジェクトのオブジェクトと他のフロアオブジェクトのオブジェクトとを接続するリンクオブジェクトの表示を制御することができる。これにより、情報処理システム１によれば、フロア間の関連をわかりやすく閲覧させることができる。
【００７４】
さらに、情報処理システム１によれば、フロアオブジェクトに挟まれたフロアオブジェクトの表示がオフに変更された場合に、当該オフに変更されたフロアオブジェクトを挟んでいた２つのフロアオブジェクト間を接続するリンクオブジェクトを表示させることができる。これにより、情報処理システム１によれば、隣接するフロア間の関連のみならず、隣接していないフロア間の関連をわかりやすく閲覧させることができる。
【００７５】
なお、各実施形態、各変形例について説明したが、一例であってこれらに限られず、例えば、各実施形態や各変形例のうちのいずれかや、各実施形態の一部や各変形例の一部を、他の１または複数の実施形態や他の１または複数の変形例と組み合わせて本発明の一態様を実現させてもよい。
【００７６】
なお、本実施形態における情報処理システム１の各処理を実行するためのプログラムをコンピュータ読み取り可能な記録媒体に記録して、当該記録媒体に記録されたプログラムを、コンピュータシステムに読み込ませ、実行することにより、情報処理システム１に係る上述した種々の処理を行ってもよい。
【００７７】
なお、ここでいう「コンピュータシステム」とは、ＯＳや周辺機器などのハードウェアを含むものであってもよい。また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、フラッシュメモリなどの書き込み可能な不揮発性メモリ、ＣＤ−ＲＯＭなどの可搬媒体、コンピュータシステムに内蔵されるハードディスクなどの記憶装置のことをいう。
【００７８】
さらに「コンピュータ読み取り可能な記録媒体」とは、インターネットなどのネットワークや電話回線などの通信回線を介してプログラムが送信された場合のサーバやクライアントとなるコンピュータシステム内部の揮発性メモリ（例えばＤＲＡＭ（Ｄｙｎａｍｉｃ
Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置などに格納したコンピュータシステムから、伝送媒体を介して、あるいは、伝送媒体中の伝送波により他のコンピュータシステムに伝送されてもよい。
【００７９】
ここで、プログラムを伝送する「伝送媒体」は、インターネットなどのネットワーク（通信網）や電話回線などの通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【００８０】
以上、本発明の実施形態について図面を参照して詳述したが、具体的な構成はこの実施形態に限られるものではなく、この発明の要旨を逸脱しない範囲の設計なども含まれる。
【符号の説明】
【００８１】
１００…クライアント端末装置、２００…アプリケーションサーバ装置、３００…データベースサーバ装置、２１０…オブジェクト設定部、２１２…自動設定オブジェクト設定部、２１４…手動設定オブジェクト設定部、２２０…コンテンツ提供部、２２２…ステータス更新部、２２４…表示制御部
【図１】
2019096230.tif 000003
【図２】
2019096230.tif 000004
【図３】
2019096230.tif 000005
【図４】
2019096230.tif 000006
【図５】
2019096230.tif 000007
【図６】
2019096230.tif 000008
【図７】
2019096230.tif 000009
【図８】
2019096230.tif 000010
【図９】
2019096230.tif 000011
【図１０】
2019096230.tif 000012
【図１１】
2019096230.tif 000013
【図１２】
2019096230.tif 000014
【図１３】
2019096230.tif 000015
【図１４】
2019096230.tif 000016
【図１５】
2019096230.tif 000017